(57)【要約】      （修正有）【課題】携帯端末に取り付け、利便性をより高めることが可能な多機能の携帯端末用機能部材を提供する。【解決手段】携帯端末用機能部材１は、主に、取付部３、リング部５、アーム部７、屈曲部９、突部１１、回動部１５等から構成される。取付部は、樹脂製又は金属製であり、背面側には両面テープや面ファスナなどが配置され、携帯端末の背面又は、携帯端末のケースの背面側に固定して取り付ける。取付部の略中央には、回動部を介してリング部が取り付けられる。リング部の先端側には、アーム部が連続するように配置される。アーム部の先端部近傍において、アーム部に対して略垂直な方向に屈曲する屈曲部を有する。また、アーム部の先端部には、屈曲部に対して先端側に突出する突部が形成される。屈曲部により他の部位に引っ掛けることができ、突部によりボタンを押すことができる。【選択図】図１
0003230734.tif 000002
【実用新案登録請求の範囲】
【請求項１】
携帯端末に取り付けることが可能な多機能部材であり、
携帯端末に取りつけるための取付部と、
前記取付部に接続され、指を挿入可能なリング部と、
前記リング部に連続して配置されるアーム部と、
を具備し、
前記リング部は、前記取付部に対して、互いに略直交する２軸以上で回動可能な回動部を介して接続され、
前記アーム部は、先端部近傍に屈曲部を有し、前記屈曲部を、他の構造体に引っ掛けることが可能であることを特徴とする携帯端末用機能部材。
【請求項２】
前記アーム部の先端部には、前記屈曲部に対して先端側に突出する突部が形成されることを特徴とする請求項１記載の携帯端末用機能部材。
【請求項３】
前記アーム部の少なくとも先端部側と前記屈曲部は、すべり止め用の樹脂で被覆されることを特徴とする請求項１又は請求項２に記載の携帯端末用機能部材。
【考案の詳細な説明】
【技術分野】
【０００１】
本考案は、携帯端末に取り付けることが可能な多機能部材に関するものである。
【背景技術】
【０００２】
いわゆるスマートフォン等の携帯端末を取り扱う際に、携帯端末を容易に把持することができるように、携帯端末の背面側にリング状の部材を取り付ける方法や、リング状の部材が取り付けられたケースを取り付ける方法などが各種提案されている（例えば特許文献１〜４）。
【先行技術文献】
【特許文献】
【０００３】
【特許文献１】特開２０１７−１１２３９６号公報
【特許文献２】特開２０１７−２２８９１６号公報
【特許文献３】特許第６２０７６９５号公報
【特許文献４】実用新案登録第３２００７２５号公報
【考案の概要】
【考案が解決しようとする課題】
【０００４】
従来のリング状部材（いわゆるスマホリング）に指を通して携帯端末を把持することで、小さな力で携帯端末を把持することができるとともに、誤って携帯端末を落とすことを抑制することができる。このようなリング状部材は、把持の用途だけではなく、例えば、携帯端末のスタンドとしての利用や、ケースの留め具として使用することも可能である。
【０００５】
しかし、従来のリング状部材を用いた携帯端末用スタンドは、例えば机上においてディスプレイを利用者の方向に傾斜させて配置するものであるが、必ずしも、携帯端末を視認しやすい机上の位置に、十分なスペースがあるわけではない。このような場合には、利用者から離れた位置に携帯端末を配置する必要があり、視認性が十分ではなかった。
【０００６】
一方、携帯端末は、ほとんどの利用者が常に携帯し、すぐに取り出せる状態で持ち歩くものである。したがって、携帯端末に対して、日常的に利用可能な機能を追加することで、より便利に携帯端末を利用することができる。
【０００７】
本考案は、このような問題に鑑みてなされたもので、携帯端末の利便性をより高めることが可能な携帯端末用機能部材を提供することを目的とする。
【課題を解決するための手段】
【０００８】
前述した目的を達成するため、本考案は、携帯端末に取り付けることが可能な多機能部材であり、携帯端末に取りつけるための取付部と、前記取付部に接続され、指を挿入可能なリング部と、前記リング部に連続して配置さされるアーム部と、を具備し、前記リング部は、前記取付部に対して、互いに略直交する２軸以上で回動可能な回動部を介して接続され、前記アーム部は、先端部近傍に屈曲部を有し、前記屈曲部を、他の構造体に引っ掛けることが可能であることを特徴とする携帯端末用機能部材である。
【０００９】
前記アーム部の先端部には、前記屈曲部に対して先端側に突出する突部が形成されることが望ましい。
【００１０】
前記アーム部の少なくとも先端部側と前記屈曲部は、すべり止め用の樹脂で被覆されてもよい。
【００１１】
本考案によれば、リング部にアーム部を連結し、アーム部の先端近傍に屈曲部を形成することで、他の部位に引っ掛けることが可能な鉤状部を形成することができる。このため、例えばドアノブをあけるためのドアオープナーや、携帯端末をパソコンのディスプレイ等に固定するための固定部として利用することができる。
【００１２】
また、屈曲部の先端部に突部を形成することで、例えばエレベーターのボタンやタッチパネルを押すために利用することができる。
【００１３】
また、アーム部の一部と屈曲部に樹脂で被覆することで、前述した各機能を発揮する際の滑り止めとして機能させることができる。
【考案の効果】
【００１４】
本考案によれば、携帯端末の利便性をより高めることが可能な携帯端末用機能部材を提供することができる。
【図面の簡単な説明】
【００１５】
【図１】携帯端末用機能部材１の斜視図。
【図２】携帯端末用機能部材１の動作を示す図。
【図３】携帯端末用機能部材１の動作を示す図。
【図４】携帯端末用機能部材１の利用例を示す図。
【図５】携帯端末用機能部材１の利用例を示す図。
【図６】携帯端末用機能部材１の利用例を示す図。
【図７】携帯端末用機能部材１の利用例を示す図。
【図８】携帯端末用機能部材１の利用例を示す図。
【考案を実施するための形態】
【００１６】
以下、図面を参照しながら、本考案の実施形態について説明する。図１は、携帯端末用機能部材１の斜視図である。携帯端末用機能部材１は、携帯端末に取り付けることが可能な多機能部材である。携帯端末用機能部材１は、主に、取付部３、リング部５、アーム部７、屈曲部９、突部１１、回動部１５等から構成される。
【００１７】
取付部３は、樹脂製又は金属製であり、背面側には両面テープや面ファスナなどが配置され、携帯端末の背面、又は、携帯端末のケースの背面側に固定して取り付けることが可能である。なお、図示した例では取付部３の形状は矩形であるが、矩形以外にも、円形や星形など矩形以外でもよく、さらに、色や模様を付して装飾性を高めてもよい。
【００１８】
取付部３の略中央には、回動部１５を介してリング部５が取り付けられる。回動部１５は、取付部３の面に略垂直な回転軸（図中Ａ）と、この回転軸Ａに略垂直でリング部５の幅方向にほぼ平行な回転軸（図中Ｂ）の２軸の回転軸を有する。すなわち、リング部５は、取付部３に対して、互いに略直交する２軸で回動可能である。また、回動部１５は、各回転軸で任意の角度に回転させることが可能であるが、ある程度の回転抵抗を有し、その角度で保持することが可能である。なお、回転軸は２軸以上であってもよい。
【００１９】
リング部５は、指を挿入することが可能な略円形の孔６を有する部位である。なお、リング部５は、完全に閉じた孔６を有する必要はなく、全体として指を挿入可能な孔６が形成されたものであれば、回動部１５との連結部などのように、一部に切れ込みがあってもよい。また、リング部５の孔６の形状は円形に限られず、楕円等であってもよい。
【００２０】
このように、回動部１５において、リング部５には切れ目が形成される。この切れ目において、孔６の延長線（切れ目のない円形の仮想線）を想定すると、図示したように、リング部５を取付部３に対して略垂直に立てた状態においては、回動部１５の頂部は、孔６の延長線の内部に、はみ出さないことが望ましい。このようにすることで、リング部５の孔６に指を挿通した際に、指と回動部１５とが干渉することがなく、利用者が違和感なく使用することができる。
【００２１】
リング部５の孔６の周囲の一部には、必要に応じて小孔１７が形成される。小孔１７は、ストラップなどを取り付けることが可能である。なお、小孔１７の配置は図示した例には限られない。
【００２２】
リング部５の先端側（回動部１５との連結部とは逆側）には、アーム部７が連続するように配置される。アーム部７は、直線状であっても湾曲していてもよい。また、アーム部７の先端部近傍において、アーム部７に対して略垂直な方向に屈曲する屈曲部９を有する。すなわち、リング部５と屈曲部９とがアーム部７を介して間をあけて配置され、リング部５の一部とアーム部７と屈曲部９とで、略コの字の鉤状の引っ掛け部を形成することができる。
【００２３】
また、アーム部７の先端部には、屈曲部９よりも先端側に突出する突部１１が形成される。なお、リング部５、アーム部７、屈曲部９及び突部１１は、一体で形成され、例えば金属製や硬質樹脂製など、ある程度の剛性を有する部材で形成される。
【００２４】
また、アーム部７の少なくとも先端部側と屈曲部９及び突部１１は、すべり止め用の樹脂１３で被覆される。樹脂１３は、例えば軟質樹脂で構成される。なお、リング部５、アーム部７、屈曲部９及び突部１１の形態は、図示した例には限られず、各部の形状は、後述する各機能を奏する形状であればよい。
【００２５】
次に、携帯端末用機能部材１の動作について説明する。図２（ａ）は、取付部３を携帯端末１９（又はそのケース）の背面に取り付けた状態を示す図である。図２（ａ）に示すように、通常時には、携帯端末１９の背面側に、リング部５等を畳んだ状態とすることで、例えばカバンやポケットに携帯端末１９を入れる際に、携帯端末用機能部材１が邪魔になることがない。
【００２６】
図２（ｂ）は、この状態から、携帯端末１９（取付部３）に対して、リング部５等を９０度回転させた状態を示す図である。このように、リング部５等は、回転軸Ａ（図１参照）に対して、任意の角度で回転させることができる（図中Ｃ）。
【００２７】
また、図３（ａ）は、図２（ｂ）のＤ矢視図である。この状態から、図３（ｂ）に示すように、リング部５等は、回転軸Ｂ（図１参照）に対して、任意の角度で回転させることができる（図中Ｅ）。
【００２８】
次に、携帯端末用機能部材１の使用方法について説明する。図４は、携帯端末用機能部材１のリング部５（孔６）に指を挿通して、携帯端末１９を把持した状態を示す図である。このように、リング部５は、従来の携帯端末把持部材（いわゆるスマホリング）等と同様に、携帯端末１９を把持する際の補助として機能させることができる。
【００２９】
図５は、携帯端末用機能部材１を携帯端末１９のスタンドとして利用した状態を示す図である。前述したように、それぞれの回転軸でリング部５等を回動させた際に、回動部１５は、ある程度の回転抵抗を有するため、リング部５等は、自重で倒れることはなく、その角度で保持される。このため、携帯端末を任意の向き（縦横）、任意の角度で支持することができる。
【００３０】
図６は、携帯端末用機能部材１をドアオープナーとして利用した状態を示す図である。近年、ウィルス対策等を目的に、不特定多数の人が利用するドアノブなどを介した感染を抑制するため、直接手を触れずにドアの開閉をしたいという要望がある。これに対し、携帯端末１９に対して、略垂直にアーム部７等を立て、アーム部７と屈曲部９とをドアノブ２１に引っ掛けて、ドアノブ２１を操作することで、直接手を触れずにドアを開閉することができる。
【００３１】
この際、アーム部７と屈曲部９とが滑り止めの樹脂１３で被覆されているため、容易にドアノブ２１を操作することができる。また、樹脂１３がクッションとなり、ドアノブ２１を傷つけることがない。このように、直接手を触れたくない部位であれば、ドアノブ２１に限られず、アーム部７と屈曲部９を、他の構造に対して引っ掛けて操作等を行うことができる。
【００３２】
図７は、携帯端末用機能部材１によってボタン２３を押した状態を示す図である。携帯端末１９に対して略垂直にアーム部７等を立てることで、屈曲部９から突出する突部１１によって、ボタン２３を容易に押すことができる。このように、不特定多数の人が利用する部位に直接手を触れることなく、エレベーターなどのボタン２３を押すことできる。なお、ボタン２３は、機械的な押ボタンに限られず、タッチパネルにも利用可能である。
【００３３】
図８は、ノートパソコンに携帯端末１９を固定して使用する方法を示す図であり、図８（ａ）はパソコン２５の背面側から見た図、図８（ｂ）はパソコン２５の表側から見た図である。ディスプレイ２７の背面側であって、幅方向の端部近傍に受け部２９が取り付けられる。受け部２９は、例えば筒状部材であり、両面テープ等でディスプレイ２７の背面に固定される。
【００３４】
まず、携帯端末１９の側方に向けてアーム部７等を張り出すように回転させ、屈曲部９を下方に向ける。次に、受け部２９の上方から屈曲部９を挿入する。このようにすることで、図８（ｂ）に示すように、パソコン２５のディスプレイ２７の横に、携帯端末１９のディスプレイを配置することができる。
【００３５】
なお、屈曲部９（樹脂１３）の断面形状が略矩形であり、受け部２９の断面形状を屈曲部９（樹脂１３）の断面形状に応じた形状とすることで、受け部２９の内部で屈曲部９が回転してしまうことを抑制することができる。このため、携帯端末１９のディスプレイを前方に向けた状態で保持することが可能である。なお、屈曲部９及び受け部２９の形態は、図示した例には限られず、両者が互いに対応した形態であり、受け部２９で屈曲部９を保持することができれば、屈曲部９及び受け部２９の形態は特に限定されない。
【００３６】
このように、携帯端末１９をパソコン２５のディスプレイ２７の横に着脱可能に配置して保持することで、利用者は、パソコン２５のディスプレイ２７と携帯端末１９のディスプレイを同時に視認することができる。例えば、携帯端末１９でメールや画像等を確認しながらパソコン２５の作業を行うことができる。この際、携帯端末１９を机上に置く必要がないため、パソコン２５のマウスの操作やその他の作業スペースの邪魔になることがない。なお、携帯端末１９を固定する部位は、パソコン２５に限られず、その他の部位であってもよい。
【００３７】
以上、本実施形態にかかる携帯端末用機能部材１によれば、リング部５によって、携帯端末１９の把持が容易であるとともに、アーム部７によって、携帯端末１９のスタンドとして機能させることができる。また、小孔１７によって、ストラップ等を取り付けることができる。
【００３８】
また、アーム部７と屈曲部９とで形成される鉤状部をドアノブ２１等に引っ掛けることで、ドアオープナー等として利用することができる。また、突部１１を形成することで、ボタン２３等を容易に押すことができる。このように、ドアノブ２１やボタン２３などに直接触れることなく利用することができる。
【００３９】
この際、アーム部７、屈曲部９及び突部１１を樹脂１３で被覆することで、滑り止めとして機能させることができるとともに、操作対象を傷つけることを抑制することができる。
【００４０】
また、屈曲部９を挿入可能な受け部２９を用いることで、携帯端末１９を任意の部位に固定することができる。例えば、パソコン２５のディスプレイ２７の脇に携帯端末１９を固定することで、効率よく両者を視認することができるとともに、机上の作業スペースを確保することができる。
【００４１】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【符号の説明】
【００４２】
１………携帯端末用機能部材
３………取付部
５………リング部
６………孔
７………アーム部
９………屈曲部
１１………突部
１３………樹脂
１５………回動部
１７………小孔
１９………携帯端末
２１………ドアノブ
２３………ボタン
２５………パソコン
２７………ディスプレイ
２９………受け部
【図１】
0003230734.tif 000003
【図２】
0003230734.tif 000004
【図３】
0003230734.tif 000005
【図４】
0003230734.tif 000006
【図５】
0003230734.tif 000007
【図６】
0003230734.tif 000008
【図７】
0003230734.tif 000009
【図８】
0003230734.tif 000010